【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
ＩＰマルチメディアサブシステム（ＩＭＳ）集中型サービス制御（ＩＣＳ）のためのネットワークノードであって、
ＭＳＣ（移動通信交換局）サーバから、ＩＭＳＩ（国際移動体加入者識別番号）及びＭＳＲＮ（移動局ローミング番号）とともにUpdate Location Requestを受信する受信手段と、
ＨＳＳ（加入者管理装置）から加入者プロファイル及びサービス設定を検索する検索手段と、
前記サービス設定と前記加入者プロファイルを、ＣＳ（回線交換）設定とＣＳプロファイルにマッピングするマッピング手段と、
前記マッピングされたＣＳプロファイルとＣＳ設定とを含む加入者データ挿入メッセージ（Insert Subscriber Data message）を前記ＭＳＣサーバに送信する送信手段と、
を備える、ネットワークノード。
【請求項２】
前記受信手段は、前記ＭＳＣサーバから、ＣＳ認証が要求されることを示す認証パラメータ要求を受信し、
前記検索手段は、前記ＨＳＳからＣＳ認証データを検索し、
前記ＣＳ認証データを含む認証情報メッセージを前記ＭＳＣサーバに提供する提供手段を備える、
請求項１に記載のネットワークノード。
【請求項３】
アウトバウンドローミングのサポートのためのネットワークノードであって、
ＩＭＳＩ（国際移動体加入者識別番号）とロケーションエリア識別子（ＬＡＩ）とを含む、ＵＥのLocation Update Requestメッセージを受信する受信手段と、
前記ＩＭＳＩに基づいて、前記ＵＥが前記ネットワークノードを含むネットワークに属しておらず、インバウンドローマであることを検出する検出手段と、
前記ＩＭＳＩとＭＳＲＮ（移動局ローミング番号）とともにUpdate Location RequestをＩＰマルチメディアサブシステム（ＩＭＳ）集中型サービス制御（ＩＣＳ）インターワーキング機能（ＩＣＳ−ＩＷＦ）に送信する送信手段とを備え、
前記受信手段は、前記ＩＣＳ−ＩＷＦから、マッピングされたＣＳ（回線交換）プロファイルとＣＳ設定とを含む加入者データ挿入メッセージ（Insert Subscriber Data message）を受信する、ネットワークノード。
【請求項４】
前記送信手段は、前記ＩＣＳ−ＩＷＦに、ＣＳ認証が認証パラメータ要求で要求されることを示す情報を送信し、
前記受信手段は、ＣＳ認証パラメータを含む認証情報メッセージを受信し、
前記送信手段は、前記ＵＥにＲＡＮＤ（乱数）値を持つ認証要求を送信し、
前記受信手段は、前記ＲＡＮＤ値に基づいて前記ＵＥによって計算されたＳＲＥＳ（符号付き応答）を含む認証応答を受信する、
請求項３に記載のネットワークノード。
【請求項５】
請求項１又は２に記載の前記ネットワークノードと、請求項３又は４に記載の前記ネットワークノードとを備えるシステム。
【請求項６】
ＭＳＣ（移動通信交換局）サーバから、ＩＭＳＩ（国際移動体加入者識別番号）とＭＳＲＮ（移動局ローミング番号）とともにUpdate Location Requestを受信し、
ＨＳＳ（加入者管理装置）から加入者プロファイル及びサービス設定を検索し、
前記サービス設定と前記加入者プロファイルを、ＣＳ（回線交換）設定とＣＳプロファイルにマッピングし、
前記マッピングされたＣＳプロファイルとＣＳ設定とを含む加入者データ挿入メッセージ（Insert Subscriber Data message）を前記ＭＳＣサーバに送信する、
通信方法。
【請求項７】
前記ＭＳＣサーバから、ＣＳ認証が要求されることを示す認証パラメータ要求を受信し、
前記ＨＳＳからＣＳ認証データを検索し、
前記ＣＳ認証データを含む認証情報メッセージを前記ＭＳＣサーバに提供する、
請求項６に記載の通信方法。
【請求項８】
ＩＭＳＩ（国際移動体加入者識別番号）とロケーションエリア識別子（ＬＡＩ）とを含む、ＵＥのLocation Update Requestメッセージを受信し、
前記ＩＭＳＩに基づいて、前記ＵＥが前記ネットワークノードを含むネットワークに属しておらず、インバウンドローマであることを検出し、
前記ＩＭＳＩとＭＳＲＮ（移動局ローミング番号）とともにUpdate Location RequestをＩＰマルチメディアサブシステム（ＩＭＳ）集中型サービス制御（ＩＣＳ）インターワーキング機能（ＩＣＳ−ＩＷＦ）に送信し、
前記ＩＣＳ−ＩＷＦから、マッピングされたＣＳ（回線交換）プロファイルとＣＳ設定とを含む加入者データ挿入メッセージ(Insert Subscriber Data message)を受信する、
通信方法。
【請求項９】
前記ＩＣＳ−ＩＷＦに、ＣＳ認証が認証パラメータ要求で要求されることを示す情報を送信し、
ＣＳ認証パラメータを含む認証情報メッセージを受信し、
前記ＵＥにＲＡＮＤ（乱数）値を持つ認証要求を送信し、
前記ＲＡＮＤ値に基づいて前記ＵＥによって計算されたＳＲＥＳ（符号付き応答）を含む認証応答を受信する、
請求項８に記載の通信方法。
【請求項１０】
通信装置に請求項６〜９のいずれか１項に記載の方法を実行させるためのコンピュータプログラム。
【手続補正２】
【補正対象書類名】明細書
【補正対象項目名】０００３
【補正方法】変更
【補正の内容】
【０００３】
３ＧＰＰは、ユーザ機器に対するＩＰベースマルチメディアサービスを可能にするための、多くの場合にＩＰマルチメディアサブシステム（ＩＭＳ）と呼ばれる、ＩＰマルチメディアコアネットワークサブシステムを規定した。ＩＭＳのいわゆる、プロキシ呼セッション制御機能（Ｐ−ＣＳＣＦ）が、ＩＭＳに接続されたＵＥとセッション開始プロトコル（ＳＩＰ）シグナリングを交換する責任を担う。Ｐ−ＣＳＣＦは、特定のＵＥとＰ−ＣＳＣＦとの間で交換されるＳＩＰシグナリングの適切な暗号化を容易にするために、接続されるＵＥごとのそれぞれのＵＥセキュリティ及びＩＰセッションパラメータを記憶する。
また、Ｐ−ＣＳＣＦは、ＵＥごとのＩＰセッションのために必要なリソースを割り当てる責任を担い、かつ特定のＵＥのためにふさわしい次のホップのＣＳＣＦ（そのＵＥのために実行された登録プロセス中に決定される）との間でメッセージを転送する責任を担う。
【手続補正３】
【補正対象書類名】明細書
【補正対象項目名】００３２
【補正方法】変更
【補正の内容】
【００３２】
いったんＣＳ認証手続が成功すると（すなわち、モバイル機器３がＲＡＮＤチャレンジのための正しいＳＲＥＳ値を返送したとＭＳＣ−Ｓ１２が判断するとき）、ＭＳＣ−Ｓ１２は、モバイル機器３のＩＭＳＩと移動局ローミング番号（ＭＳＲＮ）とともにUpdate Location Requestを（ホームネットワーク２０のＨＬＲとしての役割を果たす）ＩＣＳ  ＩＷＦ２２に送信する。
【手続補正４】
【補正対象書類名】明細書
【補正対象項目名】００６６
【補正方法】変更
【補正の内容】
【００６６】
受信したＣＳ認証データを用いて、ＭＳＣ−Ｓ１２は、次に、モバイル機器３でのＣＳ認証手続を実行する。そのために、ＭＳＣ−Ｓ１２は、ステップＳ６０５において、（自らの認証モジュール４３を用いて）受信したＲＡＮＤ値を含む適切にフォーマット設定された認証要求を生成し、モバイル機器３に送信する。モバイル機器３は、ステップＳ６０６において、受信したＲＡＮＤからＳＲＥＳを計算し、適切にフォーマット設定された認証応答のＳＲＥＳをＭＳＣ−Ｓ１２に返送する。
【手続補正５】
【補正対象書類名】明細書
【補正対象項目名】０１２６
【補正方法】変更
【補正の内容】
【０１２６】
ＡＳ  Application Server; アプリケーションサーバ
ＡＶＰ  Attribute Value Pair; 属性値ペア
ＣＣＡ  Credit-Control-Answer; クレジット制御応答
ｅＮＢ    evolved NodeB; 発展型ノードＢ
ＧＰＲＳ  General Packet Radio Service; 汎用パケット無線サービス
ＨＬＲ  Home Location Register; 加入者位置登録機
ＨＰＬＭＮ  Home Public Land Mobile Network; ホーム公衆地上移動体ネットワーク
ＨＳＳ  Home Subscriber Server; 加入者情報管理装置
ＩＢＣＦ  Interconnection Border Control Function; 相互接続境界制御機能
ＩＣＳ  IMS Centralized Service; ＩＭＳ集中型サービス制御
ｉＦＣ  Initial Filter Criteria; 初期フィルタ条件
ＩＭＳ  IP Multimedia Subsystem; ＩＰマルチメディアサブシステム
ＩＭＳＩ  International Mobile Subscriber Identifier; 国際移動体加入者識別番号
ＩＰ  Internet Protocol; インターネットプロトコル
ＩＷＦ  Interworking Function; インターワーキング機能
ＬＡＩ  Location Area Identifier; ロケーションエリア識別子
ＬＡＵ  Location Area Update; ロケーションエリア更新
ＬＴＥ  Long Term Evolution
ＭＡＡ  Multimedia-Auth-Answer; マルチメディア認証応答
ＭＡＰ  Mobile Application Part; 移動通信応用部
ＭＡＲ  Multimedia-Auth-Request; マルチメディア認証要求
ＭＣＣ  Mobile Country Code; 国識別コード
ＭＧＷ  Media Gateway; メディアゲートウェイ
ＭＭＥ  Mobility Management Entity; 移動管理装置
ＭＳＣ  Mobile Switching Center; 移動通信交換局
ＭＳＣ−Ｓ  MSC Server; ＭＳＣサーバ
ＭＳＲＮ  Mobile Station Roaming Number; 移動局ローミング番号
ＮＷ  Network; ネットワーク
Ｐ−ＣＳＣＦ  Proxy Call Session Control Function; プロキシ呼セッション制御機能
ＰＤＮ  Packet Data Network; パケットデータネットワーク
ＰＧＷ  PDN Gateway; ＰＤＮゲートウェイ
ＱｏＳ  Quality of Service; サービス品質
ＲＡＮＤ  RANDom number; （認証に用いられる）乱数
ＲＡＲ  Re-Auth-Request; 再認証要求
ＳＡＡ  Server-Assignment-Answer; サーバ割当て応答
ＳＡＲ  Server-Assignment-Request; サーバ割当て要求
Ｓ−ＣＳＣＦ  Serving Call Session Control Function; サービング呼セッション制御機能
ＳＧＳＮ  Serving GPRS Support Node; 加入者パケット交換機
ＳＩＰ  Session Initiation Protocol; セッション開始プロトコル
ＳＲＥＳ  Signed RESponse; 符号付き応答（２Ｇ  ＡＫＡにおいてＳＩＭ又はＵＳＩＭによって返される認証値）
ＴＡＳ  Telephony Application Server; テレフォニーアプリケーションサーバ    ＵＤＡ  User Data Answer; ユーザデータ応答
ＵＤＲ  User Data Request; ユーザデータ要求
ＵＥ  User Equipment; ユーザ機器
ＵＲＩ  Uniform Resource Identifier; 統一資源識別子
ＵＲＮ  Uniform Resource Name; 統一資源名
ＶＬＲ  Visited Location Register; 訪問者位置登録機
ＶＰＬＭＮ  Visitor Public Land Mobile Network; 訪問先公衆陸上移動体ネットワーク